(57)【要約】【課題】伝送路側において、インタリーブを適用しつつ、オーバヘッドにおけるＦＡＳ構造を保持するとともに、レイテンシを小さくするか、またはバースト耐力を向上させることができる誤り訂正システムおよび誤り訂正方法を得る。【解決手段】第１送信側インタリーバは、ｍ（ｍは正の整数）個の伝送フレームに対してインタリーブを適用し、送信側誤り訂正符号化部は、第１送信側インタリーバの出力に対して誤り訂正符号化し、第２送信側インタリーバは、送信側誤り訂正符号化部から出力された、ｎ（ｎはｍとは異なる正の整数）個の伝送フレームに対してインタリーブを適用し、第１送信側インタリーバと協調してオーバヘッド内のＦＡＳ構造を復元する。【選択図】図１
2014064174.tif 000002
【特許請求の範囲】
【請求項１】
送信器と受信器とが伝送路を介して互いに接続され、情報系列にオーバヘッドおよび誤り訂正符号を付加して形成された伝送フレームを伝送する光通信システムにおいて、誤り訂正符号化および復号を行う誤り訂正システムであって、
前記送信器は、
ｍ（ｍは正の整数）個の前記伝送フレームに対してインタリーブを適用する第１送信側インタリーバと、
前記第１送信側インタリーバの出力に対して誤り訂正符号化する送信側誤り訂正符号化部と、
前記送信側誤り訂正符号化部から出力された、ｎ（ｎはｍとは異なる正の整数）個の前記伝送フレームに対してインタリーブを適用し、前記第１送信側インタリーバと協調して前記オーバヘッド内のＦＡＳ構造を復元する第２送信側インタリーバと、を有し、
前記受信器は、
前記伝送路から入力された、ｎ個の前記伝送フレームに対してインタリーブを適用する第１受信側インタリーバと、
前記第１受信側インタリーバの出力に対して誤り訂正復号する受信側誤り訂正復号部と、
前記受信側誤り訂正復号部から出力された、ｍ個の前記伝送フレームに対してインタリーブを適用する第２受信側インタリーバと、を有する
ことを特徴とする誤り訂正システム。
【請求項２】
前記誤り訂正システムは、単一符号にて誤り訂正符号化および復号を行う誤り訂正システムであって、
前記第１送信側インタリーバのサイズｍおよび前記第２送信側インタリーバのサイズｎを、ｍ＜ｎとしたこと
を特徴とする請求項１に記載の誤り訂正システム。
【請求項３】
前記誤り訂正システムは、連接符号にて誤り訂正符号化および復号を行う誤り訂正システムであって、
前記送信器は、前記第１送信側インタリーバの前段に、外符号により誤り訂正符号化する外符号誤り訂正符号化部をさらに備え、
前記送信側誤り訂正符号化部は、内符号により誤り訂正符号化し、
前記受信器は、前記第２受信側インタリーバの後段に、外符号により誤り訂正復号する外符号誤り訂正復号部をさらに備え、
前記受信側誤り訂正符号化部は、内符号により誤り訂正復号する、
ことを特徴とする請求項１に記載の誤り訂正システム。
【請求項４】
前記第１送信側インタリーバのサイズｍおよび前記第２送信側インタリーバのサイズｎを、ｍ＞ｎとしたこと
を特徴とする請求項３に記載の誤り訂正システム。
【請求項５】
前記第１送信側インタリーバのサイズｍおよび前記第２送信側インタリーバのサイズｎを、ｍ＜ｎとしたこと
を特徴とする請求項３に記載の誤り訂正システム。
【請求項６】
情報系列にオーバヘッドおよび誤り訂正符号を付加して形成された伝送フレームを伝送する光通信システムにおいて、誤り訂正符号化および復号を行う誤り訂正システムによって実行される誤り訂正方法であって、
ｍ（ｍは正の整数）個の前記伝送フレームに対してインタリーブを適用する第１送信側インタリーブステップと、
前記第１送信側インタリーブステップの出力に対して誤り訂正符号化する送信側誤り訂正符号化ステップと、
前記送信側誤り訂正符号化ステップにより出力された、ｎ（ｎはｍとは異なる正の整数）個の前記伝送フレームに対してインタリーブを適用し、前記第１送信側インタリーブステップと協調して前記オーバヘッド内のＦＡＳ構造を復元する第２送信側インタリーブステップと、
伝送路から入力された、ｎ個の前記伝送フレームに対してインタリーブを適用する第１受信側インタリーブステップと、
前記第１受信側インタリーブステップの出力に対して誤り訂正復号する受信側誤り訂正符号化ステップと、
前記受信側誤り訂正符号化ステップにより出力された、ｍ個の前記伝送フレームに対してインタリーブを適用する第２受信側インタリーブステップと、を有する
ことを特徴とする誤り訂正方法。
【発明の詳細な説明】
【技術分野】
【０００１】
この発明は、例えば光通信システム等に適用される誤り訂正システムおよび誤り訂正方法に関する。
【背景技術】
【０００２】
近年の超高速光通信では、多値変調方式や偏波多重方式を適用することにより、１波あたりの伝送速度を高速化させている。しかしながら、多値変調方式や偏波多重方式を適用することで、雑音耐力の低下や伝送劣化要因の影響を受け、伝送性能が劣化したり、伝送距離が短くなったりするという課題が発生する。
【０００３】
このような課題を解決する方法として、情報系列に対して冗長系列を付加することにより、伝送後の誤りを訂正する誤り訂正技術が盛んに研究されている。なお、誤り訂正技術では、誤り訂正符号化する情報系列長および誤り訂正符号化により付加された冗長系列長に応じて、訂正可能数が決定される。そのため、バースト誤りが発生した場合には、誤り訂正不可状態に陥る可能性がある。
【０００４】
そこで、バースト耐力を向上させる方法として、誤り訂正符号化後の符号化系列に対して、インタリーバ（インタリーブ回路）によるインタリーブを適用する方法がある。ここで、インタリーブとは、インタリーバに入力される信号系列の順番を入れ替えて、入れ替え後の信号系列を出力することを言う。
【０００５】
すなわち、情報系列と冗長系列とを合わせた符号化系列長以上の送信系列に対してインタリーブを適用することにより、バースト誤りを複数の符号化系列に分散させて、１つの符号化系列内における誤り数を低減させることができ、誤り訂正不可状態に陥ることを防止することができる。
【０００６】
なお、インタリーブを行う符号化系列が多くなる（インタリーバの深さが深くなる）につれて、バースト耐力が向上する。一方、符号化系列が多くなるにつれて、復号の開始タイミングが遅くなるので、インタリーバでのレイテンシが大きくなる。そのため、バースト耐力とレイテンシとのバランスを考慮したインタリーバ設計が必要になる。
【０００７】
ここで、現在の光通信では、伝送路側でのフレームフォーマットとして、光チャネル伝送ユニット（ＯＴＵ：Ｏｐｔｉｃａｌ−ｃｈａｎｎｅｌ  Ｔｒａｎｓｐｏｒｔ  Ｕｎｉｔ）フレーム構造をとっている。ＯＴＵフレームでは、各種設定情報を保持したオーバヘッド、情報系列を含むペイロードおよび誤り訂正符号化による冗長系列であるパリティが、所定のフォーマットとして定義されている。
【０００８】
また、受信器では、オーバヘッド内のフレームアライメント信号（ＦＡＳ：Ｆｒａｍｅ  Ａｌｉｇｎｍｅｎｔ  Ｓｉｇｎａｌ）を用いて、ＯＴＵフレームの同期をとることで、誤り訂正符号化および復号を行っている。そのため、伝送路側では、インタリーブを適用しつつ、ＦＡＳ構造を保持することができるインタリーバを含む誤り訂正システムが求められている。
【０００９】
そこで、誤り訂正符号化部の前後段にインタリーバを配置し、前段のインタリーバでは、ＯＴＵフレームフォーマットを誤り訂正符号化用のフォーマットに変換し、バースト耐力の向上を目的とした後段のインタリーバと協調して、伝送路側でＯＴＵフォーマットを復元する誤り訂正システムが提案されている（例えば、特許文献１参照）。
【００１０】
具体的には、特許文献１の誤り訂正システムは、伝送路を介して互いに接続された送信器と受信器とから構成される。送信器は、ｎ個のＯＴＵフレームをまとめてインタリーブする（深さｎ）前段のインタリーバと、誤り訂正符号化する送信側エンコーダと、ｎ個のＯＴＵフレームをまとめてインタリーブする（深さｎ）後段のインタリーバとを有している。
【００１１】
また、送信器から送出された光信号は、伝送路を通過して、受信器で受信される。受信器は、ｎ個のＯＴＵフレームをまとめてインタリーブする（深さｎ）前段のインタリーバと、誤り訂正復号する受信側デコーダと、ｎ個のＯＴＵフレームをまとめてインタリーブする（深さｎ）後段のインタリーバとを有している。
【００１２】
このような誤り訂正システムにおいて、送信器でのインタリーブ処理として、まず、ＯＴＵフレーム構造をとる信号が、ｎＯＴＵフレーム分毎に前段のインタリーバに入力される。続いて、このｎＯＴＵフレーム分の信号は、送信側エンコーダで符号化するためのフォーマットに変換されて出力される。
【００１３】
次に、送信側エンコーダで符号化された変換後のフォーマットは、後段のインタリーバにおいて、ＯＴＵフレームフォーマットを復元するように逆インタリーブが行われ、符号化後のＯＴＵフレームとして出力される。これにより、ＯＴＵフレームのオーバヘッドが復元され、オーバヘッド内のＦＡＳ構造が保持されつつ、インタリーブが適用された出力信号が得られる。
【００１４】
このように、従来の誤り訂正システムでは、送信器における前段のインタリーバおよび後段のインタリーバとして、同じ深さ（同じＯＴＵフレーム数）のインタリーバを適用することにより、ＯＴＵフレームのオーバヘッド、すなわちＦＡＳ構造を保持していた。また、受信器では、上述した符号化の逆の手順により、復号が行われている。
【００１５】
このとき、インタリーバでは、ＯＴＵフレームをｎ個保存し、インタリーブした後に出力するので、インタリーバの深さが深くなるほど、インタリーバでのレイテンシが大きくなる。また、同じサイズのインタリーバを２個適用することにより、レイテンシが２倍になる。
【先行技術文献】
【特許文献】
【００１６】
【特許文献１】特開２０１１−１４６９３２号公報
【発明の概要】
【発明が解決しようとする課題】
【００１７】
しかしながら、従来技術には、以下のような課題がある。
特許文献１の誤り訂正システムでは、上述したように、ＯＴＵフレームのオーバヘッドにおけるＦＡＳ構造を保持するために、同じサイズのインタリーバを２個適用する必要があり、これによってレイテンシが２倍になる。
【００１８】
そこで、バースト耐力を向上させるために、深いインタリーバを適用すると、２倍になったレイテンシの大きさによる影響が大きくなり、また、レイテンシの大きさによる影響を低減するために、インタリーバの深さを浅くすると、バースト耐力の低下による影響が大きくなるという問題がある。
【００１９】
この発明は、上記のような課題を解決するためになされたものであり、伝送路側において、インタリーブを適用しつつ、オーバヘッドにおけるＦＡＳ構造を保持するとともに、レイテンシを小さくするか、またはバースト耐力を向上させることができる誤り訂正システムおよび誤り訂正方法を得ることを目的とする。
【課題を解決するための手段】
【００２０】
この発明に係る誤り訂正システムは、送信器と受信器とが伝送路を介して互いに接続され、情報系列にオーバヘッドおよび誤り訂正符号を付加して形成された伝送フレームを伝送する光通信システムにおいて、誤り訂正符号化および復号を行う誤り訂正システムであって、送信器は、ｍ（ｍは正の整数）個の伝送フレームに対してインタリーブを適用する第１送信側インタリーバと、第１送信側インタリーバの出力に対して誤り訂正符号化する送信側誤り訂正符号化部と、送信側誤り訂正符号化部から出力された、ｎ（ｎはｍとは異なる正の整数）個の伝送フレームに対してインタリーブを適用し、第１送信側インタリーバと協調してオーバヘッド内のＦＡＳ構造を復元する第２送信側インタリーバと、を有し、受信器は、伝送路から入力された、ｎ個の伝送フレームに対してインタリーブを適用する第１受信側インタリーバと、第１受信側インタリーバの出力に対して誤り訂正復号する受信側誤り訂正復号部と、受信側誤り訂正復号部から出力された、ｍ個の伝送フレームに対してインタリーブを適用する第２受信側インタリーバとを有するものである。
【００２１】
また、この発明に係る誤り訂正方法は、情報系列にオーバヘッドおよび誤り訂正符号を付加して形成された伝送フレームを伝送する光通信システムにおいて、誤り訂正符号化および復号を行う誤り訂正システムによって実行される誤り訂正方法であって、ｍ（ｍは正の整数）個の伝送フレームに対してインタリーブを適用する第１送信側インタリーブステップと、第１送信側インタリーブステップの出力に対して誤り訂正符号化する送信側誤り訂正符号化ステップと、送信側誤り訂正符号化ステップにより出力された、ｎ（ｎはｍとは異なる正の整数）個の伝送フレームに対してインタリーブを適用し、第１送信側インタリーブステップと協調してオーバヘッド内のＦＡＳ構造を復元する第２送信側インタリーブステップと、伝送路から入力された、ｎ個の伝送フレームに対してインタリーブを適用する第１受信側インタリーブステップと、第１受信側インタリーブステップの出力に対して誤り訂正復号する受信側誤り訂正復号ステップと、受信側誤り訂正復号ステップにより出力された、ｍ個の伝送フレームに対してインタリーブを適用する第２受信側インタリーブステップとを有するものである。
【発明の効果】
【００２２】
この発明に係る誤り訂正システムおよび誤り訂正方法によれば、第１送信側インタリーバ（インタリーブステップ）は、ｍ（ｍは正の整数）個の伝送フレームに対してインタリーブを適用し、送信側誤り訂正符号化部（ステップ）は、第１送信側インタリーバ（インタリーブステップ）の出力に対して誤り訂正符号化し、第２送信側インタリーバ（インタリーブステップ）は、送信側誤り訂正符号化部（ステップ）から出力された、ｎ（ｎはｍとは異なる正の整数）個の伝送フレームに対してインタリーブを適用し、第１送信側インタリーバと協調してオーバヘッド内のＦＡＳ構造を復元する。
そのため、伝送路側において、インタリーブを適用しつつ、オーバヘッドにおけるＦＡＳ構造を保持するとともに、レイテンシを小さくするか、またはバースト耐力を向上させることができる。
【図面の簡単な説明】
【００２３】
【図１】この発明の実施の形態１に係る誤り訂正システムを示すブロック構成図である。
【図２】この発明の実施の形態１に係る誤り訂正システムの機能を示す説明図である。
【図３】この発明の実施の形態２に係る誤り訂正システムを示すブロック構成図である。
【発明を実施するための形態】
【００２４】
以下、この発明に係る誤り訂正システムおよび誤り訂正方法の好適な実施の形態につき図面を用いて説明するが、各図において同一、または相当する部分については、同一符号を付して説明する。
【００２５】
実施の形態１．
図１は、この発明の実施の形態１に係る誤り訂正システムを示すブロック構成図である。ここでは、異なるインタリーバサイズを採用した場合における単一符号による誤り訂正システムを示している。
【００２６】
図１において、この誤り訂正システムは、伝送路１０を介して互いに接続された送信器２０と受信器３０とから構成される。送信器２０は、Ｃｌｉｅｎｔポート２１、第１送信側インタリーバ２２、誤り訂正（ＦＥＣ：Ｆｏｒｗａｒｄ  Ｅｒｒｏｒ  Ｃｏｒｒｅａｔｉｏｎ）エンコーダ（送信側誤り訂正符号化部）２３、第２送信側インタリーバ２４およびＬｉｎｅポート２５を有している。
【００２７】
Ｃｌｉｅｎｔポート２１は、クライアント信号の入力または通信データの生成回路である。第１送信側インタリーバ２２は、ｍ個のＯＴＵフレーム（伝送フレーム）をまとめてインタリーブする（深さｍ、ｍは正の整数）。
【００２８】
ＦＥＣエンコーダ２３は、誤り訂正符号化する。第２送信側インタリーバ２４は、ｎ個のＯＴＵフレームをまとめてインタリーブする（深さｎ、ｎはｍとは異なる正の整数）。Ｌｉｎｅポート２５は、伝送路１０へ送出する際のフォーマットに変換する。
【００２９】
また、送信器２０から送出された光信号は、伝送路１０を通過して、受信器３０で受信される。受信器３０は、Ｌｉｎｅポート３１、第１受信側インタリーバ３２、ＦＥＣデコーダ（受信側誤り訂正復号部）３３、第２受信側インタリーバ３４およびＣｌｉｅｎｔポート３５を有している。
【００３０】
Ｌｉｎｅポート３１は、伝送路１０から入力される信号を受信し、所定のフォーマットに変換する。第１受信側インタリーバ３２は、ｎ個のＯＴＵフレームをまとめてインタリーブする（深さｎ）。ＦＥＣエンコーダ３３は、誤り訂正復号する。第２受信側インタリーバ３４は、ｍ個のＯＴＵフレームをまとめてインタリーブする（深さｍ）。Ｃｌｉｅｎｔポート３５は、クライアントへの出力もしくは通信データの受信回路である。
【００３１】
このような誤り訂正システムにおいて、送信器でのインタリーブ処理として、まず、Ｃｌｉｅｎｔポート２１から出力されるＯＴＵフレーム構造をとる信号１が、ｍＯＴＵフレーム分毎に第１送信側インタリーバ２２に入力される。続いて、このｍＯＴＵフレーム分の信号は、ＦＥＣエンコーダ２３で誤り訂正符号化するためのフォーマット２に変換されて出力される。
【００３２】
次に、ＦＥＣエンコーダ２３で誤り訂正符号化された変換後のフォーマット２は、ｎＯＴＵフレーム分毎に第２送信側インタリーバ２４に入力され、インタリーブが行われて、符号化後のＯＴＵフレーム３として出力される。
【００３３】
ここで、第１送信側インタリーバ２２の深さと第２送信側インタリーバ２４の深さとが互いに異なるので、第２送信側インタリーバ２４において、ＯＴＵフレーム内のオーバヘッド（ＯＨ）、ペイロード（ｐａｙ  ｌｏａｄ）およびパリティ（ｐａｒｉｔｙ）のすべてを完全に復元することはできない。
【００３４】
しかしながら、第１送信側インタリーバ２２および第２送信側インタリーバ２４の組み合わせ（ｍ、ｎの値、インタリーバの構成等）を選択することにより、第２送信側インタリーバ２４でのインタリーブにより、オーバヘッドにおけるＦＡＳ構造を復元することができる。
【００３５】
受信器３０では、上述した符号化の逆の手順により、復号が行われている。すなわち、ＦＡＳ構造を用いて信号を同期させた後に、第１受信側インタリーバ３２で、復号フォーマット（符号化時のフォーマット）に並べ替えられる。
【００３６】
続いて、ＦＥＣデコーダ３３で誤り訂正復号された後に、第２受信側インタリーバ３４により、ＯＴＵフレームフォーマットが復元される。ここで、第１送信側インタリーバ２２と第２受信側インタリーバ３４とは、インタリーバとデインタリーバとの関係となり、第２送信側インタリーバ２４と第１受信側インタリーバ３２とは、インタリーバとデインタリーバとの関係になる。
【００３７】
また、第１送信側インタリーバ２２の深さ（サイズ）ｍおよび第２送信側インタリーバ２４の深さ（サイズ）ｎは、ｍ＜ｎとすることにより、伝送路１０側でのバースト耐力を向上させることができ、また、同じサイズのインタリーバを２個使用する特許文献１のものよりもレイテンシを小さくすることができる。
【００３８】
なお、第１送信側インタリーバ２２の深さ（サイズ）ｍおよび第２送信側インタリーバ２４の深さ（サイズ）ｎは、これらのインタリーバが協調してオーバヘッドにおけるＦＡＳ構造を復元することができる限り、任意の値をとる。
【００３９】
図２は、この発明の実施の形態１に係る誤り訂正システムの機能を示す説明図である。ここでは、第１送信側インタリーバ２２および第２送信側インタリーバ２４によるＦＡＳ構造の構築例を示している。なお、一例として、第１送信側インタリーバ２２および第２送信側インタリーバ２４のサイズを、それぞれｍ＝１およびｎ＝４とした場合について説明する。
【００４０】
図２において、１ＯＴＵ分のＯＴＵフレーム４１は、オーバヘッド内にＦＡＳ構造４２を含んでいる。このＯＴＵフレーム４１は、第１送信側インタリーバ２２（ｍ＝１  ＯＴＵインタリーバ）において、誤り訂正フレームフォーマット４３（ＦＥＣフレーム）に並べ替えられる。
【００４１】
なお、ＯＴＵフレーム４１は、図１に示したＯＴＵフレーム構造をとる信号１の１ＯＴＵ分のＯＴＵフレームに相当し、誤り訂正フレームフォーマット４３は、図１に示した誤り訂正符号化するためのフォーマット２の一部に相当する。
【００４２】
ここでは、例として、ＯＴＵフレーム４１を図中の矢印の方向（上から下、左から右）にサンプリングしていき、ＦＥＣフレームの左から順番に並べるものとする。その後、ＦＥＣエンコーダ２３により生成されたパリティビット系列が、パリティビットエリアに上書きされる。
【００４３】
続いて、ＦＥＣエンコーダ２３から出力された１ＯＴＵフレーム分のＦＥＣフレームが４（＝ｎ）個集められ、第２送信側インタリーバ２４において、インタリーブが行われる。ここで、４個分のＦＥＣフレームを、それぞれＯＴＵ＃１  ４４、ＯＴＵ＃２  ４５、ＯＴＵ＃３  ４６およびＯＴＵ＃４  ４７とする。
【００４４】
また、ＦＡＳブロック内のビットのビット系列４８について、ＯＴＵ＃１  ４４のＦＡＳ内のビットをインデックス１−１、インデックス１−２、インデックス１−３およびインデックス１−４と表し、ＯＴＵ＃２  ４５のＦＡＳ内のビットをインデックス２−１、インデックス２−２、インデックス２−３およびインデックス２−４と表す。
【００４５】
また、ＦＡＳブロック内のビットのビット系列４８について、ＯＴＵ＃３  ４６のＦＡＳ内のビットをインデックス３−１、インデックス３−２、インデックス３−３およびインデックス３−４と表し、ＯＴＵ＃４  ４７のＦＡＳ内のビットをインデックス４−１、インデックス４−２、インデックス４−３およびインデックス４−４と表す。
【００４６】
このとき、ＦＡＳ系列は、それぞれのＦＥＣフレーム（ＯＴＵ＃１  ４４、ＯＴＵ＃２  ４５、ＯＴＵ＃３  ４６およびＯＴＵ＃４  ４７）で同じ構成をとる。そのため、インデックス１−１、２−１、３−１および４−１は互いに同じ値をとり、インデックス１−２、２−２、３−２および４−２は互いに同じ値をとり、インデックス１−３、２−３、３−３および４−３は互いに同じ値をとり、インデックス１−４、２−４、３−４および４−４は互いに同じ値をとる。
【００４７】
ここで、第２送信側インタリーバ２４では、それぞれのＦＥＣフレーム（ＯＴＵ＃１  ４４、ＯＴＵ＃２  ４５、ＯＴＵ＃３  ４６およびＯＴＵ＃４  ４７）の先頭ビットから行方向に１行、列方向に１列ずつシフトしながらサンプリングしていき、値を並べ替える（ＯＴＵ＃１スタートのサンプリング例４９参照）。
【００４８】
そのため、ＯＴＵ＃１スタートでは、インデックス１−１、２−２、３−３、４−４とサンプリングされ、同様に、ＯＴＵ＃２スタートでは、インデックス２−１、３−２、４−３、１−４とサンプリングされ、ＯＴＵ＃３スタートでは、インデックス３−１、４−２、１−３、２−４とサンプリングされ、ＯＴＵ＃４スタートでは、インデックス４−１、１−２、２−３、３−４とサンプリングされる。
【００４９】
すなわち、第２送信側インタリーバ２４による並べ替えにより、４ＯＴＵフレーム分のＦＥＣフレームにおいて、ビット系列は並べ替えられているものの、ＦＡＳ構造は保持されている（インタリーブ後のＦＥＣフレーム５０参照）。
【００５０】
その後、第２送信側インタリーバ２４において、各ＯＴＵフレーム単位で、ＯＴＵフレームフォーマット５１に変換することにより、異なる深さのインタリーバを用いた場合であっても、ＦＡＳ構造５２を保持したまま、バースト耐力を向上させることができる。なお、ＯＴＵフレームフォーマット５１は、図１に示した符号化後のＯＴＵフレーム３の１つに相当する。
【００５１】
以上のように、実施の形態１によれば、第１送信側インタリーバは、ｍ（ｍは正の整数）個の伝送フレームに対してインタリーブを適用し、送信側誤り訂正符号化部は、第１送信側インタリーバの出力に対して誤り訂正符号化し、第２送信側インタリーバは、送信側誤り訂正符号化部から出力された、ｎ（ｎはｍとは異なる正の整数）個の伝送フレームに対してインタリーブを適用し、第１送信側インタリーバと協調してオーバヘッド内のＦＡＳ構造を復元する。
そのため、伝送路側において、インタリーブを適用しつつ、オーバヘッドにおけるＦＡＳ構造を保持するとともに、レイテンシを小さくするか、またはバースト耐力を向上させることができる。
これにより、現状の誤り訂正システムにおけるレイテンシの改善、またはバースト耐力を向上させるためにインタリーバサイズを深くすることが可能となり、送受信器設計に自由度が与えられる。
【００５２】
実施の形態２．
図３は、この発明の実施の形態２に係る誤り訂正システムを示すブロック構成図である。ここでは、異なるインタリーバサイズを採用した場合における連接符号による誤り訂正システムを示している。
【００５３】
図３において、この誤り訂正システムは、伝送路１０を介して互いに接続された送信器２０Ａと受信器３０Ａとから構成される。送信器２０Ａは、Ｃｌｉｅｎｔポート２１、Ｏｕｔｅｒ  ＦＥＣエンコーダ（外符号誤り訂正符号化部）２６、第１送信側インタリーバ２２Ａ、Ｉｎｎｅｒ  ＦＥＣエンコーダ（送信側誤り訂正符号化部）２７、第２送信側インタリーバ２４ＡおよびＬｉｎｅポート２５を有している。
【００５４】
Ｏｕｔｅｒ  ＦＥＣエンコーダ２６は、外符号として誤り訂正符号化する。第１送信側インタリーバ２２Ａは、ｍ個のＯＴＵフレームをまとめてインタリーブする（深さｍ、ｍは正の整数）。Ｉｎｎｅｒ  ＦＥＣエンコーダ２７は、内符号として誤り訂正符号化する。第２送信側インタリーバ２４Ａは、ｎ個のＯＴＵフレームをまとめてインタリーブする（深さｎ、ｎはｍとは異なる正の整数）。
【００５５】
また、送信器２０Ａから送出された光信号は、伝送路１０を通過して、受信器３０Ａで受信される。受信器３０Ａは、Ｌｉｎｅポート３１、第１受信側インタリーバ３２Ａ、Ｉｎｎｅｒ  ＦＥＣデコーダ（受信側誤り訂正復号部）３６、第２受信側インタリーバ３４Ａ、Ｏｕｔｅｒ  ＦＥＣデコーダ（外符号誤り訂正復号部）３７およびＣｌｉｅｎｔポート３５を有している。
【００５６】
第１受信側インタリーバ３２Ａは、ｎ個のＯＴＵフレームをまとめてインタリーブする（深さｎ）。ＩｎｎｅｒＦＥＣエンコーダ３６は、内符号として誤り訂正復号する。第２受信側インタリーバ３４Ａは、ｍ個のＯＴＵフレームをまとめてインタリーブする（深さｍ）。Ｏｕｔｅｒ  ＦＥＣエンコーダ３７は、外符号として誤り訂正復号する。
【００５７】
なお、その他の構成は、図１に示したものと同様なので、説明を省略する。また、ＦＡＳ構造とＯＴＵフレームの構成とは、上述したように、互いに異なるサイズのインタリーバが協調することで実現される。
【００５８】
ここで、第１送信側インタリーバ２２Ａの深さ（サイズ）ｍおよび第２送信側インタリーバ２４Ａの深さ（サイズ）ｎは、伝送路１０でのバースト誤りの発生率が低い場合には、ｍ＞ｎとすることにより、外符号のバースト耐力を向上させ、内符号での残留エラーに対して強い利点をもつ構成とすることができる。
【００５９】
これに対して、第１送信側インタリーバ２２Ａの深さ（サイズ）ｍおよび第２送信側インタリーバ２４Ａの深さ（サイズ）ｎを、ｍ＜ｎとすることにより、伝送路１０でのバースト誤りに耐性を持つ構成とすることができる。このように、実施の形態１と同様に、同じサイズのインタリーバを２個使用する特許文献１のものよりもレイテンシを小さくすることができる。
【００６０】
なお、第１送信側インタリーバ２２Ａの深さ（サイズ）ｍおよび第２送信側インタリーバ２４Ａの深さ（サイズ）ｎは、これらのインタリーバが協調してオーバヘッドにおけるＦＡＳ構造を復元することができる限り、任意の値をとる。
【００６１】
以上のように、実施の形態２によれば、上記実施の形態１と同様に、伝送路側において、インタリーブを適用しつつ、オーバヘッドにおけるＦＡＳ構造を保持するとともに、レイテンシを小さくするか、またはバースト耐力を向上させることができる。
これにより、現状の誤り訂正システムにおけるレイテンシの改善、またはバースト耐力を向上させるためにインタリーバサイズを深くすることが可能となり、送受信器設計に自由度が与えられる。
【符号の説明】
【００６２】
１０  伝送路、２０、２０Ａ  送信器、２１  Ｃｌｉｅｎｔポート、２２、２２Ａ  第１送信側インタリーバ、２３  ＦＥＣエンコーダ（送信側誤り訂正符号化部）、２４、２４Ａ  第２送信側インタリーバ、２５  Ｌｉｎｅポート、２６  Ｏｕｔｅｒ  ＦＥＣエンコーダ（外符号誤り訂正符号化部）、２７  Ｉｎｎｅｒ  ＦＥＣエンコーダ（送信側誤り訂正符号化部）、３０、３０Ａ  受信器、３１  Ｃｌｉｅｎｔポート、３２、３２Ａ  第１受信側インタリーバ、３３  ＦＥＣエンコーダ（受信側誤り訂正符号化部）、３４、３４Ａ  第２受信側インタリーバ、３５  Ｌｉｎｅポート、３６  Ｏｕｔｅｒ  ＦＥＣエンコーダ（受信側誤り訂正符号化部）、３７  Ｉｎｎｅｒ  ＦＥＣエンコーダ（外符号誤り訂正復号部）。
【図１】
2014064174.tif 000003
【図２】
2014064174.tif 000004
【図３】
2014064174.tif 000005